(57)【要約】【課題】  従来より、ブロー成形等の立体成形型の問題点であった周縁部に形成する角丸部がもたらしていた不快感や痛みを解消して、人体当接感の均一というシート溶着成形型の特性により一層近づく事を可及的に図った、立体成形による施療用膨縮袋を提供する。【解決手段】  椅子やベッドなどの施療機の適所に配置され、空気給排装置からの空気の給排気により膨縮して、人体施療部位に押圧施療を施し得るようにした施療用膨縮袋２ａであって、該施療用膨縮袋２ａの本体２１ａにおける平面視外周の周縁部２２ａの外周幅Ｗの方を、本体の厚さＴの半分の長さよりも大きくなるよう構成する。【選択図】  図３
2006314495.tif 000002
【特許請求の範囲】
【請求項１】
空気の給排気により膨縮可能な内部空間を有する平坦袋状に形成された本体に、該内部空間に空気を通気するための空気通気孔を適所に付設すると共に、該本体の周縁部にはその周端にかけて本体の厚みを徐々に薄くなるよう傾斜する傾斜面又は傾斜曲面を形成し、本体周縁部の外周幅を本体厚み幅の半分よりも大きな幅になるよう構成した事を特徴とする施療用膨縮袋。
【請求項２】
前記周縁部の傾斜面又は傾斜曲面には、縦断面形状において、少なくとも一つの円弧曲線が用いられており、本体の厚み幅の半分の数値よりも円弧曲線における半径の数値を大きくした事を特徴とする請求項１記載の施療用膨縮袋。
【請求項３】
前記本体に、環状隆起部を設けた事を特徴とする請求項１及び請求項２記載の施療用膨縮袋。
【発明の詳細な説明】
【技術分野】
【０００１】
本発明は、施療機の適所に配置され、空気給排装置からの空気の給排気により膨縮して、人体適所に該膨縮による適宜の押圧施療を施し得るようにした施療用膨縮袋に関するものである。
【背景技術】
【０００２】
従来から、椅子やベッド等の適所に施療用膨縮袋を設け、空気給排装置からの圧縮空気の給排気により施療用膨縮袋を膨縮させて、人体の施療部位を押圧施療するようにしたものがある。
【０００３】
例えば、図９に示すような椅子型施療機の適所において配置するシート溶着成形による施療用膨縮袋２を図１０に示す。
【０００４】
図示したようなシート溶着成形による施療用膨縮袋２は、送気管２６を介して空気給排装置（図示せず）による給排気によって膨縮するものであるが、溶着成形が可能な柔軟性がある樹脂やナイロンのシートが用いられており、外周溶着部２２において上面シート２１１の外周縁と下面シート２１２の外周縁を一体的に溶着させる事により、内部空間２３を形成している。
【０００５】
このような従来のシート溶着成形による施療用膨縮袋は、柔軟性があり、膨張したどの部分が人体に当接しても人体当接感が略均一であるという特性があるため、膨張により人体を押圧する場合、施療感が比較的ソフトに感じられて心地が良いものとして高く評価されている。（特許文献１）
また、前記シート溶着成形以外のものとしては、ブロー成形等の立体成形によるものが既存であるが、シート溶着成形よりも製造コストが安価であり、しかも量産性が高いため、近年この立体成形による施療用膨縮袋がよく使用されている。
【０００６】
例として図１１に示す施療用膨縮袋３６（４６）が公知であるが、平坦状に形成され、膨縮する部分には膨縮度を高めるために蛇腹部３９（４９）が設けられているものである。（特許文献２）
【特許文献１】特開２００４−１２１６８３号公報（第６頁、図１及び図８）
【特許文献２】特開２００４−２３６９２２号公報（第８頁、図５）
【発明の開示】
【発明が解決しようとする課題】
【０００７】
ところで図８に示すように、ブロー成形等の立体成形により平坦状に製作された従来の施療用膨縮袋２は、これが膨張した場合に、本体２１が最も膨張する真中付近では柔軟性があるが、本体２１の周縁部２２付近に近づくほど柔軟性が低くなり、該周縁部２２では最も当接感が硬くなるという欠点がある。
【０００８】
また、ブロー成形等による立体成形型の施療用膨縮袋２は、膨張したどの部分においても人体当接感が略均一であるという特性を有する前者のシート溶着成形による施療用膨縮袋とは違って、本体２１の真中付近と周縁部２２とで膨張時の当接感が異なるという問題もある。
【０００９】
更に、このような従来の施療用膨縮袋２には、その周縁部２２に、小さな角丸形の角丸部２２０が形成されているのが一般的であり、例えば、既存の製品として、前記本体２１の厚みを１０ミリとし、該角丸部２２０の径をＲ４程度に設定し、本体２１の周縁部２２の外周幅が４ミリ程度のものがあるが、この場合、厚みの半分の長さ（５ミリ）よりも外周幅（４ミリ）が小さくなるような割合に設定されるか、或いは同厚みの半分の長さの数値（５）よりも角丸部２２０の径の数値（４）の方が小さくなるような割合に設定されている。
【００１０】
このため、このような従来の施療用膨縮袋２を人体の施療部位に配置させて膨張させた場合には、図８に示したように最も当接感が硬くなる前記周縁部２２に形成する前記角丸部２２０が、人体施療部位に当接した場合には、該施療部位に不必要な刺激を与えてしまい、施療者に不快感や痛みをもたらすという問題が生じていた。
【００１１】
そこで本発明は、上記従来の施療用膨縮袋における各種問題点を解消する為に成されたものであり、ブロー成形等の立体成形型の施療用膨縮袋における周縁部に形成された角丸部により生じる施療者への不快感や痛みを除去して、施療感がソフトで安価で製造できる施療用膨縮袋を提供する事を目的とするものである。
【課題を解決するための手段】
【００１２】
すなわち、本発明の施療用膨縮袋は、空気の給排気により膨縮可能な内部空間を有する平坦袋状に形成された本体に、該内部空間に空気を通気するための空気通気孔を適所に付設すると共に、該本体の周縁部にはその周端にかけて本体の厚みを徐々に薄くなるよう傾斜する傾斜面又は傾斜曲面を形成し、本体周縁部の外周幅を本体厚み幅の半分よりも大きな幅になるよう構成した事を特徴とするものである。
【００１３】
また、本発明の施療用膨縮袋は、前記周縁部の傾斜面又は傾斜曲面には、縦断面形状において、少なくとも一つの円弧曲線が用いられており、本体の厚み幅の半分の数値よりも円弧曲線における半径の数値を大きくした事を特徴とするものである。
【００１４】
さらに、本発明の施療用膨縮袋は、前記本体に、環状隆起部を設けた事を特徴とするものである。
【発明の効果】
【００１５】
よって、本発明の施療用膨縮袋は、前記本体の前記周縁部にはその周端にかけて本体の厚みを徐々に薄くなるよう傾斜する傾斜面又は傾斜曲面を形成し、本体周縁部の外周幅を本体厚み幅の半分よりも大きな幅になるよう構成したものである為、不必要な刺激を与えて、不快感や痛みをもたらしていた、従来のブロー成形等の立体成形型のものにあった周縁部に形成する角丸部が生じないよう形成されるので、人体当接感の均一というシート溶着成形型の特性に、より一層近づき、施療部位に対する心地よい快適な押圧施療を実施する事ができる。
【００１６】
また、本発明の施療用膨縮袋は、前記周縁部の傾斜面又は傾斜曲面には、縦断面形状において、少なくとも一つの円弧曲線が用いられており、本体の厚み幅の半分の数値よりも円弧曲線における半径の数値を大きくしたものである為、前記と同様の効果をもたらす他、該円弧曲線の採用により、本体の真中付近よりも比較的柔軟性の低い周縁部における当接感をよりソフトにする事ができる。
【００１７】
また、本発明の施療用膨縮袋は、前記本体に、環状隆起部を設けたものである為、該本体を平面方向に大きくする事無く膨張度をさらに高められる。
【発明を実施するための最良の形態】
【００１８】
以下に、本発明の施療用膨縮袋を、図面に示す一実施形態に基づきこれを詳細に説明する。
【００１９】
図１は本発明の施療用膨縮袋の一実施形態を示す斜視図であり、図２は本発明の施療用膨縮袋の一実施形態を示す中央縦断面図であり、図３乃至図５は本発明の施療用膨縮袋における周縁部の一実施形態を示す部分断面図、図６は本発明の施療用膨縮袋における膨張状態の一実施形態を示す説明図であり、図７は本発明の施療用膨縮袋の一実施形態を示す説明図、図８は従来のブロー成形の立体成形による施療用膨縮袋を示す説明図であり、図９は従来の椅子型施療機を示す説明図、図１０は従来シート溶着成形による施療用膨縮袋を示す説明面、図１１は従来のブロー成形の立体成形による施療用膨縮袋を示す説明図である。
【００２０】
すなわち、本発明の施療用膨縮袋２ａは、図１及び図２の実施形態で示したように、平坦形状の本体２１ａ内に内部空間２３ａが形成された平坦袋状に形成されており、この本体２１ａの内部空間２３ａに、例えば空気給排装置（図示せず）等により空気を給排気させて、本体２１ａを膨縮させるよう構成されている。
【００２１】
前記本体２１ａの両面中央には、後述する環状隆起部２５ａを夫々設けている。
【００２２】
また、前記本体２１ａの平面視外周の周縁部２２ａの適所には、前記内部空間２３ａに空気を通気するための空気通気孔２４ａを付設しており、該空気通気孔２４ａは前記空気給排装置と連繋するエアホース（図示せず）の至端と接続している。尚、該空気通気孔２４ａは、該周縁部２２ａの他部分にも施療用膨縮袋２ａの使用態様に応じて付設箇所を変更してもよい。
【００２３】
さらに、前記周縁部２２ａの一側適所には、後述する止着部２６ａを設けている。
【００２４】
前記本体２１ａの材料に関しては、柔軟性のある軟質樹脂等を採用する事ができるが、該軟質樹脂の中でも高圧重合法で製造される直鎖状超低密度ポリエチレンは、柔軟性材料でありながら耐久性があるので適している。
【００２５】
例えば、縦断面肉厚が略０．８ミリの状態になるように形成した本体２１ａであれば、空気給排装置による給気を４．５秒、排気を５．５秒、該給排気を１サイクルとする１回の膨縮動作を１１秒となるようにした場合、１０万回の連続膨縮を行うだけの耐久性がある事が実証されている。
【００２６】
また、前記施療用膨縮袋２ａの成形方法としては、一般的にはブロー成形により製作する事ができるが、その他、立体成形できるものであればこれに限らない。
【００２７】
前記本体２１ａにおける平面視外周の前記周縁部２２ａは、図３に示すように、該周縁部２２ａの周端２２１ａにかけて本体２１ａの厚みＴを徐々に薄くなるように傾斜する傾斜面または傾斜曲面からなるよう形成している。
【００２８】
また、傾斜面または傾斜曲面からなる前記周縁部２２ａの外周幅Ｗの方を、該本体２１ａの厚みＴの半分よりも大きな幅になるよう形成している。これにより、従来の周縁部にあった角丸部を無くした形状とする事ができる。
【００２９】
例えば、前記周縁部２２ａの外周幅Ｗを８ミリとし、前記本体２１ａの厚みＴを１０ミリとするならば、厚みＴの半分の長さは５ミリとなり、該厚みＴの半分の長さよりも外周幅Ｗである８ミリの方が大きくなる。
【００３０】
尚、前記厚みＴは前記環状隆起部２５ａを無視したものとする。また、前記周縁部２２ａの傾斜面または傾斜曲面に関しては、縦断面形状において直線や曲線、またそれらを組み合わせた線から適宜形成するものとしてもよい。
【００３１】
図４に示すのは、前記周縁部２２ａの傾斜面または傾斜曲面に関し、縦断面形状において円弧曲線を用いて形成するものである。
【００３２】
前記本体２１ａの厚みＴの半分の長さの数値よりも該円弧半径Ｒの数値の方を大きくなるようにして構成する事により、従来の周縁部にあった角丸部を無くした形状とする事ができる。
【００３３】
例えば、前記本体２１ａの厚みＴを１０ミリとし、前記円弧半径ＲをＲ８とするならば、厚みＴの半分の長さの数値は５となり、該円弧半径Ｒの数値の方が厚みＴの半分の長さの数値よりも大きくなる。
【００３４】
尚、前記厚みＴは前記環状隆起部２５ａを無視したものとする。また、前記周縁部２２ａの傾斜面または傾斜曲面の円弧曲線は、複数用いてもよい。この場合、最も大きな円弧半径Ｒの数値が、厚みＴの半分の長さの数値より大きくなるようにする。
【００３５】
前記のようにして、周縁部２２ａを従来の周縁部にあった角丸部を無くした形状の施療用膨縮袋２ａは、図６に示すように、施療機（図示せず）にある取付台４ａに止着部材２６１ａにより前記止着部２６ａを取りつけるようにしている。この場合、本体２１ａが膨張すると、前記止着部２６ａの側に向かう押圧方向となる。
【００３６】
さらに、前述したように前記本体２１ａの両面中央に前記環状隆起部２５ａを夫々設けているのだが、図２に示すように本体２１ａが収縮した状態において、縦断面形状が凹凸状となっている。該本体２１ａが前記空気給排装置（図示せず）の作動により膨張する場合、図６に示すように該凹凸状が伸張して、より滑らかな形状となる。
【００３７】
前記環状隆起部２５ａを設ける事により、前記本体２１ａを平面方向に大きくする事無く、該本体２１ａの表面積を大きくする事ができる。
【００３８】
尚、前記環状隆起部２５ａは、適宜前記本体２１ａの片面にだけ設けてもよく、または一面に複数設けてもよい。
【００３９】
図５に示すのは、前記周縁部２２ａの前記周端２２１ａよりさらに外周において、本体２１ａの平面方向外側に突出するようにして裂開防止部材２２２ａを該外周周部において連続して設けた構成である。該裂開防止部材２２２ａは、本体２１ａにおける膨縮の繰り返しによって、周端２２１ａの内面が劣化して裂けてしまい、内部空間２３ａにある空気が漏れたりする事態を防止するために形成している。
【００４０】
尚、図示しないが本体２１ａにおいて、比較的劣化し易い部分に当たる該裂開防止部材２２２ａの一部分を他部分よりも強化してもよい。例えば、裂開防止部材２２２ａの肉厚を他部分よりも厚くしたり、または裂開防止部材２２２ａの外周幅を他部分より大きくしたりする事ができる。
【００４１】
本発明の施療用膨縮袋２ａは例として図７に示すように、空気給排装置３ａを下部に設けた椅子型である施療機１ａの所望する施療部位に当たる適所に、複数配置して使用する事ができる。該配置の仕方により、押圧施療の他、挟圧または揉み施療など、多様な施療を実現する事が可能となる。椅子型の施療機１ａの他にも、図示しないがマットまたはベッド型、或いは持ち運びの容易な小型のものなどのあらゆる形態の施療機に採用する事ができる。
【図面の簡単な説明】
【００４２】
【図１】本発明の施療用膨縮袋の一実施形態を示す斜視図である。
【図２】本発明の施療用膨縮袋の一実施形態を示す中央縦断面図である。
【図３】本発明の施療用膨縮袋における周縁部の一実施形態を示す部分断面図である。
【図４】本発明の施療用膨縮袋における周縁部の一実施形態を示す部分断面図である。
【図５】本発明の施療用膨縮袋における周縁部の一実施形態を示す部分断面図である。
【図６】本発明の施療用膨縮袋における膨張状態の一実施形態を示す説明図である。
【図７】本発明の施療用膨縮袋の一実施形態を示す説明図である。
【図８】従来のブロー成形の立体成形による施療用膨縮袋を示す説明図である。
【図９】従来の椅子型施療機を示す説明図である。
【図１０】従来シート溶着成形による施療用膨縮袋を示す説明面である。
【図１１】従来のブロー成形の立体成形による施療用膨縮袋を示す説明図である。
【符号の説明】
【００４３】
１ａ  施療機
２ａ  施療用膨縮袋
２１ａ  本体
２２ａ  周縁部
２２１ａ  周端
２２２ａ  劣裂防止部材
２３ａ  内部空間
２４ａ  空気通気孔
２５ａ  環状隆起部
２６ａ  止着部
２６１ａ  止着部材
３ａ  空気給排装置
４ａ  取付台
Ｗ  外周幅
Ｔ  厚み
Ｒ  円弧半径
Ｍ  人体施療部位
２  施療用膨縮袋
２１  本体
２２  周縁部
２２０  角丸部
【図１】
2006314495.tif 000003
【図２】
2006314495.tif 000004
【図３】
2006314495.tif 000005
【図４】
2006314495.tif 000006
【図５】
2006314495.tif 000007
【図６】
2006314495.tif 000008
【図７】
2006314495.tif 000009
【図８】
2006314495.tif 000010
【図９】
2006314495.tif 000011
【図１０】
2006314495.tif 000012
【図１１】
2006314495.tif 000013